(57)【要約】【課題】ブレーキの交換時期を適正に管理し、確実なブレーキ交換を実現させることにより、安全性の高い、また、損紙の削減が可能となる印刷機の提供をその課題とする。【解決手段】制御部９はＲＯＭ９ｂに記憶された、設定速度に対する非常停止用ブレーキＢＲが作動してから印刷機が停止するまでの基準胴の回転数と、エンコーダ７から入手した、非常停止用ブレーキＢＲが作動してから印刷機が停止するまでの実際の基準胴の回転数とを比較する。【選択図】  図２
2010280137.tif 000002
【特許請求の範囲】
【請求項１】
複数の搬送胴を有し、搬送される用紙を該搬送胴により搬送しながら印刷を行う印刷機であって、印刷機の運転を停止させるブレーキと、該複数の胴の１つである基準胴の回転を検出する検出器と、印刷機の制御を行う制御部とを有する印刷機において、該制御部は記憶手段を有し、該記憶手段は少なくとも1つ以上の設定速度に対する、該ブレーキが作動してから印刷機が停止するまでの該基準胴の回転数を記憶可能であり、該制御部は該記憶手段により記憶された設定速度に対する該回転数と該検出器により検出した回転数とを比較判別することを特徴とする印刷機。
【請求項２】
該制御部が比較判別した結果を報知する報知部を有することを特徴とする請求項１記載の印刷機。
【発明の詳細な説明】
【技術分野】
【０００１】
本発明は、ブレーキを有する印刷機に関するものである。より具体的には、印刷機の運転を緊急に停止させる非常停止用ブレーキについて、ブレーキの交換時期を適正に管理する技術に関する。
【背景技術】
【０００２】
一般に印刷機には、非常停止用ブレーキが設けられている。印刷機の運転時において、例えば用紙が紙詰まりを起こした場合や安全カバーが開けられた場合、また、何らかの事情によりオペレータが非常停止用ボタンを押した場合、この非常停止用ブレーキが作動して印刷機を非常停止させるようになっている。非常停止用ブレーキの構造については、例えば特許文献１に示すような、押圧板とブレーキライニングとの摩擦制動作用によるものが知られている。
【先行技術文献】
【特許文献】
【０００３】
【特許文献１】特開平８−３３４１３４号公報
【発明の概要】
【発明が解決しようとする課題】
【０００４】
しかしながら前述の摩擦制動作用による非常停止用ブレーキは、長期間使用すると、摩耗によりブレーキ性能が落ちて、非常停止するまでの時間が延びてしまう可能性があった。非常停止するまでの時間が延びることは、安全面や損紙の削減面で好ましくなく、改善の余地があった。
【０００５】
本発明はこのような問題を解決するためになされたもので、その目的は、ブレーキの交換時期を適正に管理し、確実なブレーキ交換を実現させることにより、安全性の高い、また、損紙の削減が可能となる印刷機を提供することである。
【課題を解決するための手段】
【０００６】
本発明は、複数の搬送胴を有し、搬送される用紙を該搬送胴により搬送しながら印刷を行う印刷機であって、印刷機の運転を停止させるブレーキＢＲと、該複数の胴の１つである基準胴の回転を検出する検出器７と、印刷機の制御を行う制御部９とを有する印刷機において、該制御部９は記憶手段９ｂを有し、該記憶手段９ｂは少なくとも1つ以上の設定速度に対する、該ブレーキＢＲが作動してから印刷機が停止するまでの該基準胴の回転数を記憶可能であり、該制御部９は該記憶手段９ｂにより記憶された設定速度に対する該回転数と該検出器７により検出した回転数とを比較判別することを特徴とする。
【０００７】
また、本発明は該制御部９が比較判別した結果を報知する報知部８を有することを特徴とする。
【発明の効果】
【０００８】
本発明における印刷機においては、制御部は記憶手段を有し、記憶手段は少なくとも1つ以上の設定速度に対する、ブレーキが作動してから印刷機が停止するまでの基準胴の回転数を記憶可能であり、制御部は記憶手段により記憶された設定速度に対する該回転数と検出器により検出した回転数とを比較判別するので、ブレーキ交換時期を適正に管理することが可能となり、安全性の高い、また、損紙の削減が可能な印刷機を得ることができる。
【０００９】
また、制御部が比較判別した結果を報知する報知部を有するので、ブレーキ交換時期を確実にオペレータに知らせることができる。
【図面の簡単な説明】
【００１０】
【図１】本発明に係る印刷機の概略側面図である。
【図２】本発明に係るブレーキ交換時期判別機構の制御部を示す概略ブロック図である。
【図３】本発明に係るブレーキ交換時期判別機構の処理手順を示すフローチャートである。
【図４】設定速度に対する、ブレーキが作動してから印刷機が停止するまでの基準胴の回転数を示す表である。
【発明を実施するための形態】
【００１１】
次に本発明を実施するための形態について図面を参照して説明する。
【００１２】
図１は本発明に係るブレーキ交換時期判別機構を供えた印刷機の一例である。図１の概略側面図に示す通り、本実施例に係る印刷機は枚葉オフセット印刷機である。この印刷機は、紙積み台からフィーダ装置や用紙分離装置等により一枚ずつ印刷用紙としての枚葉紙を送り出すための給紙部Ａと、この給紙部Ａからの枚葉紙に印刷を行うための印刷部Ｂと、枚葉紙を排紙するための排紙部Ｃを備えている。ここで印刷部Ｂは、４色の印刷が行えるように４台の印刷ユニット１〜４を備えた印刷部Ｂとしているが、４色以外の色、つまり１色又は２色以上の印刷が行える印刷部であってもよい。又、印刷機を構成する各部の具体的な構成は図に示されるものに限定されるものではない。
【００１３】
前記印刷ユニット１〜４は、図示しない版胴とゴム胴とインキローラ群、そして搬送胴である給紙胴と圧胴と渡し胴とを備えている。前記搬送胴のそれぞれには、送り出されてきた枚葉紙を爪台と爪とで把持するグリッパを円周方向の２箇所（１箇所又は３箇所以上でもよい）に備えている。フィーダーボード５上を矢印Ｚ方向に搬送される枚葉紙は図示しないスイングアームに把持され、給紙胴を経て圧胴に渡される。符号６は印刷機駆動用のモータである。
【００１４】
本実施例において、本発明における基準胴は給紙胴である。また、給紙胴には本発明における検出器としてのエンコーダ７（図２参照）が設けられており、給紙胴の回転数を検出可能となっている。また、最終の印刷ユニット４には非常停止用ブレーキＢＲが設けられている。非常停止用ブレーキＢＲは、最終の印刷ユニット４の駆動部に設けられ、駆動部を摩擦制動作用により停止させる機能を持つ。具体的には、前述の特許文献１のような押圧板とブレーキライニングを使用したものなので、詳細説明は省略する。
【００１５】
図２は本発明に係るブレーキ交換時期判別機構の制御部の構成を示す概略ブロック図であり、前述の非常停止用ブレーキＢＲ、エンコーダ７、そしてタッチパネル式に印刷機の各種操作が可能で、印刷機の各種状態をオペレータに報知する、本発明における報知部であるモニタ８、制御部９により構成されている。制御部９は演算処理等を行うマイクロプロセッサ９ａ(シーケンサでもよい)、データ及び所定のプログラム（演算式あるいはテーブル等）を記憶するＲＯＭ９ｂ、機械回転数等に関する種々の情報を記憶可能なＲＡＭ９ｃ、マイクロプロセッサ９ａと制御部９外部に設けられた装置との間における各種信号のやりとりを仲介するインターフェイス９ｄ等を用いて構成されている。
【００１６】
ＲＯＭ９ｂが本発明における記憶手段であり、ＲＯＭ９ｂは、少なくとも1つ以上の設定速度に対する、非常停止用ブレーキＢＲが作動してから印刷機が停止するまでの基準胴（給紙胴）の回転数がテーブル化されたデータを記憶している。具体的な設定速度に対する設定回転数を図４の表に示す。尚、図４中、ｓｐｈとは、ｓｈｅｅｔ  ｐｅｒ  ｈｏｕｒ（一時間あたりの印刷枚数）の略である。
【００１７】
次に、このように構成された印刷機におけるブレーキ交換時期判別機構の動作について、図３のフローチャートを参照しながら説明する。
【００１８】
前述の通り、印刷機の運転時において、例えば用紙が紙詰まりを起こした場合や安全カバーが開けられた場合には非常停止用ブレーキＢＲが作動して印刷機を非常停止させるようになっている。また、何らかの事情によりオペレータが非常停止用ボタンを押した場合もこの非常停止用ブレーキＢＲが作動して印刷機を非常停止させるようになっている。非常停止用ブレーキＢＲが作動し（ステップＳ１）、印刷機は非常停止する（ステップＳ２）。そして制御部９はＲＯＭ９ｂに記憶された、設定速度に対する非常停止用ブレーキＢＲが作動してから印刷機が停止するまでの基準胴（給紙胴）の回転数と、エンコーダ７から入手した、非常停止用ブレーキＢＲが作動してから印刷機が停止するまでの実際の基準胴の回転数とを比較する（ステップＳ３）。ＲＯＭ９ｂに記憶された設定回転数以内で止まった場合、そのまま作業を終了するが、設定回転数よりも実際の回転数が多かった場合、モニタ８にエラー表示を行う（ステップＳ４）。この一連の作業は非常停止用ブレーキＢＲが作動する度に行われる。
【００１９】
このような制御により、非常停止用ブレーキＢＲの摩耗等による交換時期を適正に管理することが可能となる。よって非常停止用ブレーキＢＲの性能を維持することができ、安全性の高い印刷機を実現することができる。また、紙詰まりを起こした場合にも早期に印刷機が停止するので、機内へ搬送される枚葉紙が少なくて済み、損紙の削減が可能な印刷機を得ることができる。
【００２０】
尚、本発明は、前記実施形態に限定されるものではなく、本発明の要旨を逸脱しない範囲で種々の変更が可能である。例えば前述の実施形態では、枚葉オフセット印刷機であったが、これに限定されず、インクジェット式印刷機やフレキソ印刷機のようなものであってもよい。また、前記実施形態ではモニタ８へのエラー表示を行ったが、これに限定されず、例えばブザー等の警告音を発するような構成としてもよい。
【産業上の利用可能性】
【００２１】
本発明に係る印刷機は、ブレーキを有する印刷機において極めて有用である。
【符号の説明】
【００２２】
７  エンコーダ
８  モニタ
９  制御部
Ｂ  印刷部
ＢＲ  非常停止用ブレーキ
【図１】
2010280137.tif 000003
【図２】
2010280137.tif 000004
【図３】
2010280137.tif 000005
【図４】
2010280137.tif 000006